(57)【特許請求の範囲】
【請求項１】
複数の発光ダイオードと、前面、前記前面と対向する背面及び前記前面と前記背面との間に位置する外周面を備えて、前記複数の発光ダイオードから放射された光を前記外周面から内部に導光するとともに前記前面から放射する導光板と、前記導光板の前記背面と間隙を介して対向するように配置されて前記複数の発光ダイオードから出る熱を放熱する熱伝導性の高い材料から形成された放熱板と、前記導光板の前記背面または前記放熱板の前記導光板と対向する面の一方に形成されて前記導光板に入射した光を拡散する光拡散パターンとをそれぞれ備えて構成された第１及び第２の面発光パネル部材と、
前記第１及び第２の面発光パネル部材のそれぞれの前記導光板の前記前面の前方側に配置される光透過性を有する第１及び第２の透光板と、
前記第１の面発光パネル部材の前記放熱板と前記第２の面発光パネル部材の前記放熱板とを所定の間隔をあけて対向させた状態で前記第１の面発光パネル部材及び前記第２の面発光パネル部材を位置決めし、前記第１の面発光パネル部材の前記導光板の前記前面の前方側に前記第１の透光板を位置決めし且つ前記第２の面発光パネル部材の前記導光板の前記前面の前方側に前記第２の透光板を位置決めした状態で、前記第１及び第２の面発光パネル部材並びに前記第１及び第２の透光板の外周部を囲む枠状構造体とを備えており、
前記枠状構造体は、前記複数の発光ダイオードに沿って延びる金属製の第１のフレーム材と、前記第１のフレーム材と対向する金属製の第２のフレーム材と、前記第１及び第２のフレーム材のそれぞれの一端を連結する金属製の第３のフレーム材と、前記第１及び第２のフレーム材のそれぞれの他端を連結する金属製の第４のフレーム材とを備え、少なくとも前記第１及び第２のフレーム材が前記第１の面発光パネル部材の前記放熱板と前記第２の面発光パネル部材の前記放熱板と熱伝達可能に接触するように構成されていることを特徴とする両面発光表示装置。
【請求項２】
前記第１のフレーム材は、前記第１及び第２の面発光パネル部材のそれぞれの前記導光板の前記前面と直交する方向に延びるフレーム本体部と、前記フレーム本体部の中央部に一体に形成され且つ前記第１の面発光パネル部材の前記放熱板及び前記第２の面発光パネル部材の前記放熱板と熱伝達可能に接触する第１及び第２の壁面を備えた中央壁部と、前記フレーム本体部と一体に形成されて前記中央壁部の前記第１の壁面との間に、前記第１の面発光パネル部材における第１のパネル部材縁部及び前記第１の透光板における第１の透光板縁部が入る第１の溝部を形成する第１の起立壁部と、前記フレーム本体部と一体に形成されて前記中央壁部の前記第２の壁面との間に、前記第２の面発光パネル部材における第１のパネル部材縁部及び前記第２の透光板における第１の透光板縁部が入る第２の溝部を形成する第２の起立壁部を備え、
前記第２のフレーム材は、前記第１及び第２の面発光パネル部材のそれぞれの前記導光板の前記前面と直交する方向に延びるフレーム本体部と、前記フレーム本体部の中央部に一体に形成され且つ前記第１の面発光パネル部材の前記放熱板及び前記第２の面発光パネル部材の前記放熱板と熱伝達可能に接触する第１及び第２の壁面を備えた中央壁部と、前記フレーム本体部と一体に形成されて前記中央壁部の前記第１の壁面との間に、前記第１の面発光パネル部材における前記第１のパネル部材縁部と対向する第２のパネル部材縁部及び前記第１の透光板における前記第１の透光板縁部と対向する第２の透光板縁部が入る第１の溝部を形成する第１の起立壁部と、前記フレーム本体部と一体に形成されて前記中央壁部の前記第２の壁面との間に、前記第２の面発光パネル部材における前記第１のパネル部材縁部と対向する第２のパネル部材縁部及び前記第２の透光板における前記第１の透光板縁部と対向する第２の透光板縁部が入る第２の溝部を形成する第２の起立壁部とをそれぞれ備えている請求項１に記載の両面発光表示装置。
【請求項３】
前記第３のフレーム材は、前記第１及び第２の面発光パネル部材の前記導光板の前記前面と直交する方向に延びるフレーム本体部と、前記フレーム本体部の中央部に一体に形成され、前記第１及び第２のフレーム材の前記中央壁部の一端と当接し且つ前記第１の面発光パネル部材の前記放熱板及び前記第２の面発光パネル部材の前記放熱板と熱伝達可能に接触する第１及び第２の壁面を備えた中央壁部と、前記フレーム本体部と一体に形成されて前記中央壁部の前記第１の壁面との間に、前記第１の面発光パネル部材の前記第１のパネル部材縁部の一端及び前記第２のパネル部材縁部の一端との間に位置する前記第１の面発光パネル部材の第３のパネル部材縁部及び前記第１の透光板の前記第１の透光板縁部の一端及び前記第２の透光板縁部の一端との間に位置する第３の透光板縁部が入る第１の溝部を形成する第１の起立壁部と、前記フレーム本体部と一体に形成されて前記中央壁部の前記第２の壁面との間に、前記第２の面発光パネル部材の前記第１のパネル部材縁部の一端及び前記第２のパネル部材縁部の一端との間に位置する前記第２の面発光パネル部材の第３のパネル部材縁部及び前記第２の透光板の前記第１の透光板縁部の一端及び前記第２の透光板縁部の一端との間に位置する第３の透光板縁部が入る第２の溝部を形成する第２の起立壁部とを備えており、
前記第４のフレーム材は、前記第１及び第２の面発光パネル部材の前記導光板の前記前面と直交する方向に延びるフレーム本体部と、前記フレーム本体部の中央部に一体に形成され、前記第１及び第２のフレーム材の前記中央壁部の他端と当接し且つ前記第１の面発光パネル部材の前記放熱板及び前記第２の面発光パネル部材の前記放熱板と熱伝達可能に接触する第１及び第２の壁面を備えた中央壁部と、前記フレーム本体部と一体に形成されて前記中央壁部の前記第１の壁面との間に、前記第１の面発光パネル部材の前記第１のパネル部材縁部の他端及び第２のパネル部材縁部の他端との間に位置する前記第１の面発光パネル部材の第４のパネル部材縁部及び前記第１の透光板の前記第１の透光板縁部の他端及び前記第２の透光板縁部の他端との間に位置する第４の透光板縁部が入る第１の溝部を形成する第１の起立壁部と、前記フレーム本体部と一体に形成されて前記中央壁部の前記第２の壁面との間に、前記第２の面発光パネル部材の前記第１のパネル部材縁部の他端及び前記第２のパネル部材縁部の他端との間に位置する前記第２の面発光パネル部材の第４のパネル部材縁部及び前記第２の透光板の前記第１の透光板縁部の他端及び前記第２の透光板縁部の他端との間に位置する第４の透光板縁部が入る第２の溝部を形成する第２の起立壁部とを備えている請求項２に記載の両面発光表示装置。
【請求項４】
前記枠状構造体は、前記第３のフレーム材と前記第４のフレーム材との間に配置されて、前記第１及び第２のフレーム材の前記中央壁部に熱伝達可能に連結され且つ前記第１及び第２の面発光パネル部材のそれぞれの前記放熱板と熱伝達可能に接触する１本以上の中間フレーム材を更に備えている請求項１，２または３に記載の面状発光表示装置。
【請求項５】
前記第１のフレーム材の前記フレーム本体部が、前記複数の発光ダイオードに電力を供給するための変圧器を含む電源部を収納する電源収納用筐体の一つの壁部を構成している請求項２に記載の両面発光表示装置。
【請求項６】
前記電源収納用筐体を構成する複数の壁部のうち前記フレーム本体部により構成される前記壁部を除いた他の少なくとも一つの壁部が、前記電源部の点検を行う際に開放状態になるように構成されている請求項５に記載の両面発光表示装置。
【請求項７】
前記電源収納用筐体を構成する複数の壁部のうち前記フレーム本体部に連結される４つの壁部の外壁部には放熱用の複数のリブが一体に形成されている請求項５または６に記載の両面発光表示装置。
【請求項８】
前記第２乃至第４のフレーム材の外壁部には放熱用の複数のリブが一体に形成されている請求項５または７に記載の両面発光表示装置。
【請求項９】
前記電源収納用筐体を構成する複数の壁部のうち２以上の壁部には通気孔が形成されている請求項５に記載の両面発光表示装置。
【請求項１０】
前記電源収納用筐体は、前記フレーム本体部により構成される前記壁部と対向する部分に開口部を有しており、
前記第１のフレーム材の前記フレーム本体部には、前記枠状構造体の内部と前記電源収納用筐体の内部とを連通する複数の通気孔が形成されており、
前記第２のフレーム材の前記フレーム本体部には、前記枠状構造体の内部と外部とを連通する複数の通気孔が形成されている請求項５に記載の両面発光表示装置。
【発明の詳細な説明】
【技術分野】
【０００１】
本発明は、枠状構造体の前面と背面の両面に発光表示面を有する両面発光表示装置に関するものである。
【背景技術】
【０００２】
実用新案登録第３１０１０１８号公報［特許文献１］には、複数の発光ダイオードからなる光源と、この光源からの光を導光する透明プラスチックからなる表示板と、表示板の一辺を厚み方向から保持する保持部及び保持した表示板の一辺の側面に沿って複数の発光ダイオードを並べた状態で保持する光源保持部を有する器具本体とを備えた誘導灯（両面発光表示装置）が示されている。
【０００３】
また特開２００６−１１１０１号公報［特許文献２］には、両面が反射面となった反射シートの両面に透明板が重ねて配置された状態で一体化されて構成された導光板と、この導光板の一辺の側面に沿って配置された光源として用いられる複数の発光ダイオード（ＬＥＤ）と、導光板の前面と背面側に配置された乳白色のアクリル樹脂からなる透光性を有する前面板及び背面板と、前面板と背面板との間に全周にわたって設けられた止水材（シーリング材）とから構成された面発光表示板を、金属製の枠体で保持した両面発光表示装置が開示されている。この装置では、光源から発生する熱を熱伝導性の高い金属製のアングル材から構成された枠体から放熱している。
【０００４】
さらに特開２００４−２７１７３４号公報［特許文献３］には、複数の発光ダイオードからなる光源を保持するアルミニューム合金の押し出し成型品からなる発光体取付部材で、透光性のパネルの一辺を保持した両面発光表示装置が開示されている。この公報には、発光ダイオードの温度が上昇すると発光ダイオードの寿命が短くなるため、発光ダイオードの放熱を促進できる発光体取付部材を用いることが有効であることが開示されている。
【０００５】
また特開２００７−２５８０８９号公報［特許文献４］には、放熱性の高い部材を面発光パネルを収納する筐体の一部として用いて、発光ダイオードからの熱を放熱する技術が開示されている。
【０００６】
さらに特開２００５−３８７７１号公報［特許文献５］及び特開２００６−２６９１４０号公報［特許文献６］には、面発光表示装置の光源として用いられる発光ダイオードから出る熱を、伝熱部材を用いて放熱する技術が開示さている。
【０００７】
また特開２００６−３３１９６０号公報［特許文献７］には、発光ダイオードが収納された光源カバー内部の熱を効率良く放熱するために、光源カバー部材に放熱用通気孔を形成する技術が開示されている。前述の特許文献６にも、発光ダイオードを収納する蓋体に通気孔を形成することが開示されている。
【０００８】
さらに特開２００４−３２５６０４号公報［特許文献８］には、片面発光表示装置において、表示器本体内に電源、非常用電源及び表示ユニットを係止する表示ユニットホルダと複数の発光ダイオードを備えた回路基板とを収納し、表示ユニットホルダ及び回路基板に放熱板を接続して、電源及び発光ダイオードからの熱を表示器本体の外部に放熱する構造が開示されている。
【０００９】
また特開２００２−２１６５２５号公報［特許文献９］には、発光ダイオードを実装する回路基板として熱伝導性の高い金属製基板を用いた面照明装置が開示されている。
【特許文献１】実用新案登録第３１０１０１８号公報
【特許文献２】特開２００６−１１１０１号公報
【特許文献３】特開２００４−２７１７３４号公報
【特許文献４】特開２００７−２５８０８９号公報
【特許文献５】特開２００５−３８７７１号公報
【特許文献６】特開２００６−２６９１４０号公報
【特許文献７】特開２００６−３３１９６０号公報
【特許文献８】特開２００４−３２５６０４号公報
【特許文献９】特開２００２−２１６５２５号公報
【発明の開示】
【発明が解決しようとする課題】
【００１０】
特許文献１乃至３の両面発光表示装置では、それぞれ１枚の面発光パネル部材を用いて、両面発光表示を得ている。これは両面発光表示装置の発光表示部分の厚み寸法をできるだけ薄くしたいとの要望があるためである。しかながら従来の装置では、厚み寸法を薄くできるものの、発光表示面から放射される光量が十分ではないという問題がある。そこで光量を多くするために、前面発光表示用の面発光パネル部材と背面発光表示用の面発光パネル部材とを別に設けることが考えられる。しかしながら２枚の面発光パネル部材を用いると、発光ダイオードが多くなる分だけ、発熱量が増大する上、発光表示部分の厚み寸法が厚くなる問題が生じる。
【００１１】
本発明の目的は、２枚の面発光パネル部材を用いても、発光表示部分の厚み寸法をあまり大きくすることなく、放熱性能を改善することができる両面発光表示装置を提供することにある。
【００１２】
上記目的に加えて、本発明の他の目的は、電源部からの熱の影響を小さくすることができる両面発光表示装置を提供することにある。
【課題を解決するための手段】
【００１３】
本発明の両面発光表示装置は、前面発光表示用と背面発光表示用のために、第１及び第２の面発光パネル部材と、第１及び第２の透光板と、枠状構造体とを用いる。第１及び第２の面発光パネル部材は、複数の発光ダイオードと、導光板と、放熱板と、光拡散パターンとを備えている。導光板は、前面、前面と対向する背面及び前面と背面との間に位置する外周面とを備えて、複数の発光ダイオードから放射された光を外周面から内部に導光するとともに前面から放射する。放熱板は、導光板の背面と間隙を介して対向するように配置されて複数の発光ダイオードから出る熱を放熱する熱伝導性の高い材料から形成されている。また光拡散パターンは、導光板の背面または放熱板の導光板と対向する面の一方に形成されて導光板に入射した光を拡散する。光拡散パターンは、導光板の背面または放熱板の導光板と対向する面の一方に印刷によって形成されてもよいし、機械加工によって形成されてもよいし、また光拡散用のパターンが印刷されたシートを導光板の背面または放熱板の導光板と対向する面の一方に貼り付けることによって構成されてもよい。
【００１４】
また第１及び第２の透光板は、光透過性を有しており、第１及び第２の面発光パネル部材のそれぞれの導光板の前面の前方側に配置される。
【００１５】
枠状構造体は、第１の面発光パネル部材の放熱板と第２の面発光パネル部材の放熱板とを所定の間隔をあけて対向させた状態で第１の面発光パネル部材及び第２の面発光パネル部材を位置決めし、第１の面発光パネル部材の導光板の前面の前方側に第１の透光板を位置決めし且つ第２の面発光パネル部材の導光板の前面の前方側に第２の透光板を位置決めした状態で、第１及び第２の面発光パネル部材並びに第１及び第２の透光板の外周部を囲む構造を有している。そして枠状構造体は、複数の発光ダイオードに沿って延びる金属製の第１のフレーム材と、第１のフレーム材と対向する金属製の第２のフレーム材と、第１及び第２のフレーム材のそれぞれの一端を連結する金属製の第３のフレーム材と、第１及び第２のフレーム材のそれぞれの他端を連結する金属製の第４のフレーム材とを備えている。そして４つのフレーム材のうち、少なくとも第１及び第２のフレーム材は、第１の面発光パネル部材の放熱板と第２の面発光パネル部材の放熱板とに熱伝達可能に接触するように構成されている。
【００１６】
本発明の両面発光表示装置では、使用する第１及び第２の面発光パネル部材が導光板と対向する光拡散パターンを備えた放熱板を備えているため、面発光パネル部材自体で発光ダイオードからの発熱を放熱することができる。特に本発明では、第１の面発光パネル部材の放熱板と第２の面発光パネル部材の放熱板との間に所定の間隔を開けてあるため、２枚の面発光パネル部材どうしで熱の授受を行うことがない。さらに、本発明では、枠状構造体を構成する金属製の第１乃至第４のフレーム材のうち、少なくとも発熱源に最も近い第１のフレーム材及び第１のフレーム材と対向する第２のフレーム材に、第１の面発光パネル部材の放熱板と第２の面発光パネル部材の放熱板を接触させている。その結果、発熱源からの熱は第１のフレーム材を通して枠状構造体全体から放熱される。同時に、第１のフレーム材側から第２のフレーム材側に向かって放熱板を通して熱勾配が作られるため、第１の面発光パネル部材の放熱板と第２の面発光パネル部材の放熱板との間の間隔を小さくしても、第１の面発光パネル部材及び第２の面発光パネル部材から積極的に熱を放熱することができる。したがって本発明によれば、２枚の面発光パネル部材を用いても、発光表示部分の厚み寸法をあまり大きくすることなく、放熱性能を改善することができる利点が得られる。なお第１乃至第４のフレーム材の全てを、第１の面発光パネル部材の放熱板と第２の面発光パネル部材の放熱板と熱伝達可能に接触するように構成すると、放熱性能をさらに向上させることができる。
【００１７】
第１のフレーム材及び第２のフレーム材は、フレーム本体部と、中央壁部と、第１及び第２の起立壁部とを備えた構造とすることができる。第１のフレーム材のフレーム本体部は、第１及び第２の面発光パネル部材の導光板の前面と直交する方向に延びる。中央壁部は、フレーム本体部の中央部に一体に形成され且つ第１の面発光パネル部材の放熱板及び第２の面発光パネル部材の放熱板と熱伝達可能に接触する第１及び第２の壁面を備えている。第１の起立壁部は、フレーム本体部と一体に形成されて中央壁部の第１の壁面との間に、第１の面発光パネル部材の第１のパネル部材縁部及び第１の透光板の第１の透光板縁部が入る第１の溝部を形成する。また第２の起立壁部は、フレーム本体部と一体に形成されて中央壁部の第２の壁面との間に、第２の面発光パネル部材の第１のパネル部材縁部及び第２の透光板の第１の透光板縁部が入る第２の溝部を形成する。第２のフレーム材のフレーム本体部は、第１及び第２の面発光パネル部材の導光板の前面と直交する方向に延びる。中央壁部は、フレーム本体部の中央部に一体に形成され且つ第１の面発光パネル部材の放熱板及び第２の面発光パネル部材の放熱板と熱伝達可能に接触する第１及び第２の壁面を備えている。第１の起立壁部は、フレーム本体部と一体に形成されて中央壁部の第１の壁面との間に、第１の面発光パネル部材における第１のパネル部材縁部と対向する第２のパネル部材縁部及び第１の透光板における第１の透光板縁部と対向する第２の透光板縁部が入る第１の溝部を形成する。また第２の起立壁部は、フレーム本体部と一体に形成されて中央壁部の第２の壁面との間に、第２の面発光パネル部材における第１のパネル部材縁部と対向する第２のパネル部材縁部及び第２の透光板における第１の透光板縁部と対向する第２の透光板縁部が入る第２の溝部を形成する。
【００１８】
このような第１及び第２のフレーム材を用いると、第１及び第２の面発光パネル部材の放熱板からの熱伝達を良好なものとして、しかも第１及び第２の面発光パネル部材及び第１及び第２の透光板の保持とを簡単に行うことができる。
【００１９】
また第３及び第４のフレーム材も、第１及び第２のフレーム材と同様に、フレーム本体部と、中央壁部と、第１及び第２の起立壁部とを備えた構造とすることができる。第３のフレーム材の場合、フレーム本体部は、第１及び第２の面発光パネル部材の導光板の前面と直交する方向に延びる。中央壁部は、フレーム本体部の中央部に一体に形成され、第１及び第２のフレーム材の中央壁部の一端と当接し且つ第１の面発光パネル部材の放熱板及び第２の面発光パネル部材の放熱板と熱伝達可能に接触する第１及び第２の壁面を備えている。第１の起立壁部は、フレーム本体部と一体に形成されて中央壁部の第１の壁面との間に、第１の面発光パネル部材の第１のパネル部材縁部の一端及び第２のパネル部材縁部の一端との間に位置する第１の面発光パネル部材の第３のパネル部材縁部及び第１の透光板の第１の透光板縁部の一端及び第２の透光板縁部の一端との間に位置する第３の透光板縁部が入る第１の溝部を形成する。また第２の起立壁部は、フレーム本体部と一体に形成されて中央壁部の第２の壁面との間に、第２の面発光パネル部材の第１のパネル部材縁部の一端及び第２のパネル部材縁部の一端との間に位置する第２の面発光パネル部材の第３のパネル部材縁部及び第２の透光板の第１の透光板縁部の一端及び第２の透光板縁部の一端との間に位置する第３の透光板縁部が入る第２の溝部を形成する。
【００２０】
また第４のフレーム材の場合も、フレーム本体部は第１及び第２の面発光パネル部材の導光板の前面と直交する方向に延びる。また中央壁部は、フレーム本体部の中央部に一体に形成され、第１及び第２のフレーム材の中央壁部の他端と当接し且つ第１の面発光パネル部材の放熱板及び第２の面発光パネル部材の放熱板と熱伝達可能に接触する第１及び第２の壁面を備える。そして第１の起立壁部は、フレーム本体部と一体に形成されて中央壁部の第１の壁面との間に、第１の面発光パネル部材の第１のパネル部材縁部の他端及び第２のパネル部材縁部の他端との間に位置する第１の面発光パネル部材の第４のパネル部材縁部及び第１の透光板の第１の透光板縁部の他端及び第２の透光板縁部の他端との間に位置する第４の透光板縁部が入る第１の溝部を形成する。また第２の起立壁部は、フレーム本体部と一体に形成されて中央壁部の第２の壁面との間に、第２の面発光パネル部材の第１のパネル部材縁部の他端及び第２のパネル部材縁部の他端との間に位置する第２の面発光パネル部材の第４のパネル部材縁部及び第２の透光板の第１の透光板縁部の他端及び第２の透光板縁部の他端との間に位置する第４の透光板縁部が入る第２の溝部を形成する。
【００２１】
第１乃至第４のフレーム材を上記のように構成すると、各フレーム材の中央壁部を介して、第１及び第２の面発光パネル部材の放熱板から枠状構造体に熱が良好に伝達する。また第１及び第２の面発光パネル部材及び第１及び第２の透光板を簡単な構造で保持することができる。
【００２２】
さらに枠状構造体は、第３のフレーム材と第４のフレーム材との間に配置されて、第１及び第２のフレーム材の中央壁部に熱伝達可能に連結され且つ第１及び第２の面発光パネル部材のそれぞれの放熱板と熱伝達可能に接触する１本以上の中間フレーム材を更に備えているのが好ましい。このような中間フレーム材を設けると、枠状構造体の機械的強度を高めることができるうえ、第１及び第２の面発光パネル部材からの放熱をさらに良好なものとすることができる。
【００２３】
複数の発光ダイオードを駆動するための電力を発生する変圧器を含む電源部は、別に設けられていてもよい。しかしながら、電源部を一緒に設ける場合には、第１のフレーム材のフレーム本体部で、複数の発光ダイオードに電力を供給するための変圧器を含む電源部を収納する電源収納用筐体の一つの壁部を構成するのが好ましい。このようにすると部品点数を減らすことができるだけでなく、電源部と発光ダイオードとの間の距離が短くなって、両者間の電気的接続が容易になる。また第１のフレーム材のフレーム本体部は、電源部で発生した熱が発光ダイオード側に直接影響を与えるのを阻止するバリアとして機能する。
【００２４】
また電源収納用筐体を構成する複数の壁部のうちフレーム本体部により構成される壁部を除いた他の少なくとも一つの壁部を、電源部の点検を行う際に開放状態になるように構成するのが好ましい。このようにすると定期的な点検作業が容易になる。
【００２５】
さらに電源収納用筐体を構成する複数の壁部のうちフレーム本体部に連結される４つの壁部の外壁部には、放熱用の複数のリブが一体に形成されていてもよい。このような放熱用の複数のリブを設けると、第１のフレーム材のフレーム本体部から伝熱された熱と電源部で発生した熱を電源収納用筐体から積極的に外気へ放熱することができる。
【００２６】
また第２乃至第４のフレーム材の外壁部にも放熱用の複数のリブを一体に形成するのが好ましい。このようにすると枠状構造体からの放熱を更に良好なものとすることができる。
【００２７】
さらに電源収納用筐体を構成する複数の壁部のうち２以上の壁部に通気孔を形成してもよい。このような通気孔を形成すると、電源収納用筐体が内部に熱気がこもりやすい構造であっても、通気孔を通して電源収納用筐体の内部の熱気を外部に排出することができる。
【００２８】
電源収納用筐体は、第１のフレーム材のフレーム本体部により構成される壁部と対向する部分に開口部を有する構造にすることができる。そして第１のフレーム材のフレーム本体部に、枠状構造体の内部と電源収納用筐体の内部とを連通する複数の通気孔が形成し、第２のフレーム材のフレーム本体部に、枠状構造体の内部と外部とを連通する複数の通気孔を形成することができる。このようにすると第２のフレーム材に形成された複数の通気孔を通って枠状構造体の内部に入った外気が、第１のフレーム材に形成された複数の通気孔を通って電源収納用筐体内に入り、開口部を通して外部に抜け出ることによって、冷却性能を高めることができる。
【発明の効果】
【００２９】
本発明の両面発光表示装置によれば、使用する第１及び第２の面発光パネル部材が導光板と対向する放熱板を備えているため、面発光パネル部材自体で発光ダイオードからの発熱を放熱することができる。特に本発明によれば、第１の面発光パネル部材の放熱板と第２の面発光パネル部材の放熱板との間に所定の間隔を開けてあるため、２枚の面発光パネル部材どうしで熱の授受を行うことがない。さらに、本発明によれば、枠状構造体を構成する金属製の第１乃至第４のフレーム材のうち、少なくとも発熱源に最も近い第１のフレーム材及び第１のフレーム材と対向する第２のフレーム材に、第１の面発光パネル部材の放熱板と第２の面発光パネル部材の放熱板を接触させているので、発熱源からの熱は第１のフレーム材を通して枠状構造体全体から放熱される。同時に、第１のフレーム材側から第２のフレーム材側に向かって放熱板を通して熱勾配が作られるため、第１の面発光パネル部材の放熱板と第２の面発光パネル部材の放熱板との間の間隔を小さくしても、第１の面発光パネル部材及び第２の面発光パネル部材から積極的に熱を放熱することができる。したがって本発明によれば、２枚の面発光パネル部材を用いても、発光表示部分の厚み寸法をあまり大きくすることなく、放熱性能を改善することができる利点が得られる。
【発明を実施するための最良の形態】
【００３０】
以下図面を参照して本発明の両面発光表示装置の実施の形態の一例を詳細に説明する。図１（Ａ）は、本発明の実施の形態の両面発光表示装置１を駅構内で使用する案内表示装置に適用した実施の形態の正面図であり、図１（Ｂ）は底面図、図１（Ｃ）及び（Ｄ）は左側面図及び右側面図である。この両面発光表示装置１は、天井に３カ所の取付具３を用いて取り付けられている。両面発光表示装置１は、電源収納用筺体５と、表示装置構造部７とを備えている。なお図１（Ａ）には示していないが、両面発光表示装置１は背面側にも情報を記載した表示パネルが装着されている。
【００３１】
図２（Ａ）は、前面側及び背面側の２枚の表示パネル（後述する第１及び第２の透光板９及び１１）及び２枚の面発光パネル部材１３及び１５を取り外した状態の正面図であり、図２（Ｂ）は電源収納用筺体５の前方壁部をさらに除いた状態の正面図を示している。また図３は、図１のＡ−Ａ線断面図を示しており、図４は面発光パネル部材の構造を概略的に説明するために用いる図である。なお図２（Ａ）及び（Ｂ）は構造を概略的に示すもので、寸法は正確なものではない。また図３及び図４には、断面部に特にハッチングを付していない。
【００３２】
両面発光表示装置１は、前面発光表示用と背面発光表示用のために、第１及び第２の透光板９及び１１と、第１及び第２の面発光パネル部材１３及び１５と、枠状構造体１７とを用いる。第１及び第２の透光板９及び１１は、光透過性を有する板材又はシートにより構成することができる。例えば、材料はアクリルやポリカ等の透明や乳白色の板やシートで、その表面に印刷を施したり、文字やデザインを貼付するなどして構成される。第１及び第２の透光板９及び１１は、第１及び第２の面発光パネル部材１３及び１５の前方側に配置される。第１及び第２の面発光パネル部材１３及び１５は、図４に概略的に示すように、それぞれ図４の紙面と直交する方向に直線的に並ぶ複数の発光ダイオード１９及び２１と、導光板２３及び２５と、放熱板２７及び２９と、光拡散パターン３１及び３３とを備えている。理解を容易にするために、図４においては、光拡散パターン３１及び３３と放熱板２７及び２９との間のギャップＧを大きく描いてある。ギャップを維持するように構成された所定の保持構造を用いて第１及び第２の面発光パネル部材１３及び１５は一体構造として構成されている。導光板２３及び２５は、それぞれ前面２３Ａ及び２５Ａ、前面２３Ａ及び２５Ａと対向する背面２３Ｂ及び２５Ｂ、前面２３Ａ及び２５Ａと背面２３Ｂ及び２５Ｂとの間に位置する外周面２３Ｃ及び２５Ｃとを備えている。複数の発光ダイオード１９及び２１から放射された光は、導光板２３及び２５の外周面２３Ｃ及び２５Ｃの一部から内部に導光され、導光板２３及び２５の背面２３Ｂ及び２５Ｂに印刷された光拡散パターン３１及び３３の存在により拡散されて、導光板２３及び２５の前面２３Ａ及び２５Ａから放射される。
【００３３】
放熱板２７及び２９は、それぞれ導光板２３及び２５の背面２３Ｂ及び２５Ｂと間隙Ｇを介して対向するように配置されている。放熱板２７及び２９は、複数の発光ダイオード１９及び２１から出る熱を放熱するアルミニュームや銅のように熱伝導性の高い材料から形成されている。また光拡散パターン３１及び３３は、スクリーン印刷、インクジェット印刷、熱転写等の印刷技術により形成された複数のドットＤにより構成されている。なお光拡散パターン３１及び３３は、導光板２３及び２５の背面２３Ｂ及び２５Ｂに機械加工を施して形成してもよい。またドットが印刷された独立したシート材料として光拡散パターンを構成し、導光板２３及び２５の背面２３Ｂ及び２５Ｂまたは放熱板２７及び２９の導光板２３及び２５と対向する面上に貼り付けるようにしてもよいのは勿論である。なお本実施の形態では、放熱板２７及び２９の上端側に発光ダイオード１９及び２１を実装した回路基板２０及び２２が熱伝達可能に装着されている。本実施の形態では図示しないスペーサを介して重ね合わされた導光板２３及び２５と放熱板２７及び２９の重合体は回路基板２０及び２２が配置される領域を除く外周部の主要部分にテーピング部材等の固定材料を用いて固定されている。
【００３４】
枠状構造体１７は、第１の面発光パネル部材１３の放熱板２７と第２の面発光パネル部材１５の放熱板２９とを所定の間隔Ｌをあけて対向させた状態で第１の面発光パネル部材１３及び第２の面発光パネル部材１５を位置決めし、第１の面発光パネル部材１３の導光板２３の前面２３Ａの前方側に第１の透光板９を位置決めし且つ第２の面発光パネル部材１５の導光板２５の前面２５Ａの前方側に第２の透光板１１を位置決めした状態で、第１及び第２の面発光パネル部材１３及び１５並びに第１及び第２の透光板９及び１１の外周部を囲む構造を有している。放熱板２７と放熱板２９との間隔Ｌは、相互に電熱しないよう空気層を設けるためのものであり、少なくとも数ｍｍが必要である。実用的には、両面発光表示装置を大きくすると、枠体１７の機械的強度が必要となるため、後述する中間フレーム材４３乃至５１は構造体としての強度が上がるように断面寸法を大きくする必要がある。本実施例の駅内両面発光表示装置では、間隔Ｌは１０ｍｍである。枠状構造体１７は、複数の発光ダイオード１９及び２１に沿って延びる金属製の第１のフレーム材３５と、第１のフレーム材３５と対向する金属製の第２のフレーム材３７と、第１及び第２のフレーム材３５及び３７のそれぞれの一端を連結する金属製の第３のフレーム材３９と、第１及び第２のフレーム材３５及び３７のそれぞれの他端を連結する金属製の第４のフレーム材４１とを備えている。具体的には、第１乃至第４のフレーム材３５乃至４１は、アルミニュームの押し出し成形品によって構成されている。そして本実施の形態では、４つのフレーム材３５乃至４１のうち、第１及び第２のフレーム材３５及び３７は、第１の面発光パネル部材１３の放熱板２７と第２の面発光パネル部材１５の放熱板２９とに熱伝達可能に接触するように構成されている。
【００３５】
図５に示すように、第１のフレーム材３５及び第２のフレーム材３７は、フレーム本体部３５Ａ及び３７Ａと、中央壁部３５Ｂ及び３７Ｂと、第１及び第２の起立壁部３５Ｃ及び３５Ｄ並びに３７Ｃ及び３７Ｄとを備えている。なお図５には、第１及び第２の面発光パネル部材１３及び１５並びに第１及び第２の透光板９及び１１は想像線（破線）で示してある。第１のフレーム材３５のフレーム本体部３５Ａは、第１及び第２の面発光パネル部材１３及び１５の導光板２３及び２５の前面２３Ａ及び２５Ａと直交する方向（水平方向）に延びる。中央壁部３５Ｂは、フレーム本体部３５Ａの中央部に一体に形成され且つ第１の面発光パネル部材１３の放熱板２７及び第２の面発光パネル部材１５の放熱板２９と熱伝達可能に接触する第１及び第２の壁面３６Ａ及び３６Ｂを備えている。第１の起立壁部３５Ｃは、フレーム本体部３５Ａと一体に形成されて中央壁部３５Ｂの第１の壁面３６Ａとの間に、第１の面発光パネル部材１３の第１のパネル部材縁部１３Ａ及び第１の透光板９の第１の透光板縁部９Ａが入る第１の溝部Ｓ１を形成する。また第２の起立壁部３５Ｄは、フレーム本体部３５Ａと一体に形成されて中央壁部３５Ｂの第２の壁面３６Ｂとの間に、第２の面発光パネル部材１５の第１のパネル部材縁部１５Ａ及び第２の透光板１１の第１の透光板縁部１１Ａが入る第２の溝部Ｓ２を形成する。
【００３６】
第２のフレーム材３７のフレーム本体部３７Ａは、第１及び第２の面発光パネル部材１３及び１５の導光板２３及び２５の前面２３Ａ及び２５Ａと直交する方向（水平方向）に延びる。中央壁部３７Ｂは、フレーム本体部３７Ａの中央部に一体に形成され且つ第１の面発光パネル部材１３の放熱板２７及び第２の面発光パネル部材１５の放熱板２９と熱伝達可能に接触する第１及び第２の壁面３８Ａ及び３８Ｂを備えている。第１の起立壁部３７Ｃは、フレーム本体部３７Ａと一体に形成されて中央壁部３７Ｂの第１の壁面３８Ａとの間に、第１の面発光パネル部材１３における第１のパネル部材縁部１３Ａと対向する第２のパネル部材縁部１３Ｂ及び第１の透光板９における第１の透光板縁部９Ａと対向する第２の透光板縁部９Ｂが入る第１の溝部Ｓ３を形成する。また第２の起立壁部３７Ｄは、フレーム本体部３７Ａと一体に形成されて中央壁部３７Ｂの第２の壁面３８Ｂとの間に、第２の面発光パネル部材１５における第１のパネル部材縁部１５Ａと対向する第２のパネル部材縁部１５Ｂ及び第２の透光板１１における第１の透光板縁１１Ａと対向する第２の透光板縁部１１Ｂが入る第２の溝部Ｓ４を形成する。
【００３７】
このような第１及び第２のフレーム材３５及び３７を用いると、第１及び第２の面発光パネル部材１３及び１５の放熱板からの熱伝達を良好なものとして、しかも第１及び第２の面発光パネル部材１３及び１５及び第１及び第２の透光板９及び１１の保持とを簡単に行うことができる。
【００３８】
図６に示すように、第３及び第４のフレーム材３９及び４１も、第１及び第２のフレーム材３５及び３７と同様に、フレーム本体部３９Ａ及び４１Ａと、中央壁部３９Ｂ及び４１Ｂと、第１及び第２の起立壁部３９Ｃ及び４１Ｃ並びに３９Ｄ及び４１Ｄとを備えた構造とすることができる。第３のフレーム材３９の場合、フレーム本体部３９Ａは、第１及び第２の面発光パネル部材１３及び１５の導光板２３及び２５の前面２３Ａ及び２５Ａと直交する方向（垂直方向）に延びる。中央壁部３９Ｂは、フレーム本体部３９Ａの中央部に一体に形成され、第１及び第２のフレーム材３５及び３７の中央壁部３５Ｂ及び３７Ｂの一端と当接し且つ第１の面発光パネル部材１３の放熱板２７及び第２の面発光パネル部材１５の放熱板２９と熱伝達可能に接触する第１及び第２の壁面４０Ａ及び４０Ｂを備えている。第１の起立壁部３９Ｃは、フレーム本体部３９Ａと一体に形成されて中央壁部３９Ｂの第１の壁面４０Ａとの間に、第１のパネル部材縁部１３Ａの一端及び第２のパネル部材縁部１３Ｂの一端との間に位置する第１の面発光パネル部材１３の第３のパネル部材縁部１３Ｃ及び第１の透光板縁部９Ａの一端及び第２の透光板縁部９Ｂの一端との間に位置する第３の透光板縁部９Ｃが入る第１の溝部Ｓ５を形成する。また第２の起立壁部３９Ｄは、フレーム本体部３９Ａと一体に形成されて中央壁部３９Ｂの第２の壁面４０Ｂとの間に、第２の面発光パネル部材１５の第１のパネル部材縁部１５Ａの一端及び第２のパネル部材縁部１５Ｂの一端との間に位置する第２の面発光パネル部材１５の第３のパネル部材縁部１５Ｃ及び第２の透光板１１の第１の透光板縁部１１Ａの一端及び第２の透光板縁部１１Ｂの一端との間に位置する第３の透光板縁部１１Ｃが入る第２の溝部Ｓ６を形成する。
【００３９】
また第４のフレーム材４１も、フレーム本体部４１Ａは第１及び第２の面発光パネル部材１３及び１５の導光板２３及び２５の前面２３Ａ及び２５Ａと直交する方向（垂直方向）に延びる。また中央壁部４１Ｂは、フレーム本体部４１Ａの中央部に一体に形成され、第１及び第２のフレーム材３５及び３７の中央壁部３５Ｂ及び３７Ｂの他端と当接し且つ第１の面発光パネル部材１３の放熱板２７及び第２の面発光パネル部材１５の放熱板２９と熱伝達可能に接触する第１及び第２の壁面４２Ａ及び４２Ｂを備えている。第１の起立壁部４１Ｃは、フレーム本体部４１Ａと一体に形成されて中央壁部４１Ｂの第１の壁面４２Ａとの間に、第１の面発光パネル部材１３の第１のパネル部材縁部１３Ａの他端及び第２のパネル部材縁部１３Ｂの他端との間に位置する第４のパネル部材縁部１３Ｄ及び第１の透光板９の第１の透光板縁部９Ａの他端及び第２の透光板縁部９Ｂの他端との間に位置する第４の透光板縁部９Ｄが入る第１の溝部Ｓ７を形成する。また第２の起立壁部４１Ｄは、フレーム本体部４１Ａと一体に形成されて中央壁部４１Ｂの第２の壁面４２Ｂとの間に、第２の面発光パネル部材１５の第１のパネル部材縁部１５Ａの他端及び第２のパネル部材縁部１５Ｂの他端との間に位置する第２の面発光パネル部材１５の第４のパネル部材縁部１５Ｄ及び第２の透光板１１の第１の透光板縁部１１Ａの他端及び第２の透光板縁部１１Ｂの他端との間に位置する第４の透光板縁部１１Ｄが入る第２の溝部Ｓ８を形成する。
【００４０】
第１乃至第４のフレーム材３５乃至４１を上記のように構成すると、各フレーム材の中央壁部３５Ｂ乃至４１Ｂを介して、第１及び第２の面発光パネル部材１３及び１５の放熱板２７及び２９から枠状構造体１７に熱が良好に伝達する。また第１及び第２の面発光パネル部材１３及び１５及び第１及び第２の透光板９及び１１を簡単な構造で保持することができる。
【００４１】
さらに本実施の形態では、枠状構造体１７が、第３のフレーム材３９と第４のフレーム材４１との間に配置されて、第１及び第２のフレーム材３５及び３７の中央壁部３５Ｂ及び３７Ｂに熱伝達可能に連結され且つ第１及び第２の面発光パネル部材１３及び１５のそれぞれの放熱板２７及び２９と熱伝達可能に接触する５本の中間フレーム材４３乃至５１を備えている。中間フレーム材４３乃至５１の主たる目的は、枠状構造体１７の機械的強度を増すことと、図４に示した放熱板２７及び２９間の間隔Ｌを維持することであるが、本実施の形態では、中間フレーム材４３乃至５１を放熱板２７及び２９からの放熱の用途にも用いている。本実施の形態では、これらの中間フレーム材４３乃至５１を、機械的強度の高い鋼材によって形成している。なお第１乃至第４のフレーム材と同様にアルミニュームや銅などのような熱伝導性の良い材料によって形成してもよいのは勿論である。図７には、１つの中間フレーム材４７の取付構造を拡大して示してある。中間フレーム材４７は、長手方向と直交する方向に切断した断面がコの字状になる形材によって構成されている。そして中間フレーム材４７は、長手方向の両端に一体に設けられたフランジ部４７Ａ及び４７ＢがボルトＢを用いて、第１及び第２のフレーム材３５及び３７の中央壁部３５Ｂ及び３７Ｂに固定されている。第１のフレーム材３５の上には、天井ＵＰに装置を固定するための取付具３の取付構造体５３が固定されている。取付構造体５３は、電源収納用筺体５内に収納される。取付構造体５３は、長手方向と直交する方向の断面形状がＣ字状を呈する形材によって構成されている。取付構造体５３は、中間フレーム材４７を第１のフレーム材３５に固定するための４本のボルトＢによって、その下側壁部５３Ａが第１のフレーム材３５のフレーム本体部３５Ａに固定されている。また取付構造体５３の上側壁部５３Ｂには、取付具３のボルトＢ１が取り付けられている。中間フレーム４５，４７及び４９は、図７に示す取付構造で第１及び第２のフレーム材３５及び３７にそれぞれ固定されている。そして中間フレーム材４３及び５１も、それぞれボルトを用いた取付構造により第１及び第２のフレーム材３５及び３７に固定されている。このような中間フレーム材４３乃至５１を設けると、枠状構造体１７の機械的強度を高めることができる上、第１及び第２の面発光パネル部材１３及び１５からの放熱をさらに良好なものとすることができる。
【００４２】
図２（Ｂ）に示すように、複数の発光ダイオード１９及び２１を駆動するための電力を発生する変圧器を含む２つの電源部ＰＷ１及びＰＷ２が第１のフレーム材３５のフレーム本体部３５Ａの上に固定されている。これは、本実施の形態では、表示装置の長さが長いために、第１及び第２の面発光パネル部材１３及び１５がそれぞれ二組の分割面発光パネル部材によって構成されているためである。すなわち第１の面発光パネル部材１３が２つの分割面発光パネル部材によって構成され、第２の面発光パネル部材１５が２つの分割面発光パネル部材によって構成されている。そこで、対向して配置される１組の分割面発光パネル部材に対して第１の電源部ＰＷ１が設けられ、他の１組の分割面発光パネル部材に対して第２の電源部ＰＷ２が設けられている。本実施の形態では２つの電源部ＰＷ１及びＰＷ２を第１のフレーム材３５のフレーム本体部３５Ａ上に設けているので、フレーム本体部３５Ａが複数の発光ダイオード１９及び２１に電力を供給するための変圧器を含む電源部ＰＷ１及びＰＷ２を収納する電源収納用筐体５の一つの壁部を構成している。このようにすると、電源収納用筐体５を構成するための部品点数を減らすことができるだけでなく、電源部ＰＷ１及びＰＷ２と発光ダイオード１９及び２１との間の距離が短くなって、両者間の電気的接続が容易になる。また第１のフレーム材３５のフレーム本体部３５Ａは、電源部ＰＷ１及びＰＷ２で発生した熱が発光ダイオード１９及び２１側に直接影響を与えるのを阻止するバリアとして機能している。
【００４３】
本実施の形態では、図２（Ａ）及び図３に示すように、電源収納用筐体５を、第１のフレーム材３５のフレーム本体部３５Ａの周縁部から上方に延び得る４つの壁部５３，５５，５７及び５９とから構成している。本実施の形態では、図８に示すように、壁部５３及び５５の下側端部がフレーム本体部３５Ａに対してヒンジ機構Ｈ１及びＨ２を介して前方側及び後方側に開閉するように構成されている。このようにすると電源部の定期的な点検作業が容易になる。そして側面側の壁部５７及び５９は、第３及び第４のフレーム材３９及び４１と組み合わせて一体化されている。図９（Ａ）及び（Ｂ）には、壁部５９と第４のフレーム材４１とが組み合わされて一体化された状態を拡大して示してある。図９に示すように壁部５９と第４のフレーム材４１とが一体化された一体化部材６１は、壁部５９の上側端部側に設けたヒンジ機構Ｈ３を介して開閉する。一体化部材６１の自由端部は、図９（Ｂ）に示すように、第２のフレーム材３７に固定したＬ字金具に設けたネジ孔（図示せず）を利用して、取付ネジ６５を用いて第２のフレーム材３７に固定される。このような構造を採用することにより、一体化部材６１を開いて第１及び第２の透光板９及び１１の交換をすることが可能になる。なお壁部５９と対向する壁部５７と第３のフレーム材３９も、壁部５９と第４のフレーム材４１と同様に一体化されている。なお実施の形態では、壁部５７と第３のフレーム材３９とを一体化した一体化部材は、特に開閉する構造になっていない。しかしこの一体化部材を一体化部材６１と同様に上側端部を中心にして開閉するように構成してもよいのは勿論である。
【００４４】
本実施の形態では、電源収納用筐体５を構成する複数の壁部のうちフレーム本体部３５Ａに連結される４つの壁部５３〜５９の外壁部には、放熱用の複数のリブ６３が一体に形成されている。また本実施の形態では、第２乃至第４のフレーム材３７〜４１の外壁部にも放熱用の複数のリブ６３を一体に設けてある。その結果、第１のフレーム材３５のフレーム本体部３５Ａから伝熱された熱と電源部ＰＷ１及びＰＷ２で発生した熱を電源収納用筐体５から積極的に外気へ放熱することができる上、枠状構造体１７の主要な外壁部からも熱を積極的に放熱することができる。
【００４５】
本実施の形態では、電源収納用筐体５の天井部分に開口部が設けられていて開放状態にある。したがって電源収納用筐体５内に熱がこもることがない。しかし電源収納用筐体５が内部に熱気がこもりやすい構造の場合には、電源収納用筐体５を構成する複数の壁部５３〜５９のうち２以上の壁部に通気孔を形成してもよい。このような通気孔を形成すると、通気孔を通して電源収納用筐体の内部の熱気を外部に排出することができる。
【００４６】
また電源収納用筐体５として、第１のフレーム材３５のフレーム本体部３５Ａにより構成される壁部と対向する天井部分に開口部を有する構造を採用する場合には、図１０に示すように、第１のフレーム材３５のフレーム本体部３５Ａに、枠状構造体１７の内部と電源収納用筐体５の内部とを連通する複数の通気孔ＴＨ１をフレーム本体部３５Ａの長手方向に沿って所定の間隔をあけて形成する。この例では、中央壁部３５Ｂ内に設けた補強用の隔壁部３５Ｅに複数の貫通孔ＴＨ２を形成してある。また第２のフレーム材３７のフレーム本体部３７Ａにも、枠状構造体１７の内部と外部とを連通する複数の通気孔ＴＨ３をフレーム本体部３７Ａの長手方向に沿って所定の間隔あけて形成してある。さらに中央壁部３７Ｂ内に設けた補強用の隔壁部３７Ｅには複数の貫通孔ＴＨ４を形成してある。このようにすると第２のフレーム材３７に形成された複数の通気孔ＴＨ３及び隔壁部３７Ｅに設けた貫通孔ＴＨ４を通って枠状構造体１７の内部で、特に２枚の面発光パネル部材１３及び１５の間に形成された空間に入った外気は、第１のフレーム材３５の隔壁部３５Ｅに設けた貫通孔ＴＨ２及び第１のフレーム材３５のフレーム本体部３５Ａに形成された複数の通気孔ＴＨ１を通って電源収納用筐体５内に入り、天井部分に形成した開口部を通して外部に抜け出る。このような通気路が形成されることによって、冷却性能を高めることができる。
【図面の簡単な説明】
【００４７】
【図１】（Ａ）は本発明の実施の形態の両面発光表示装置を駅構内で使用する案内表示装置に適用した実施の形態の正面図であり、（Ｂ）は底面図であり、（Ｃ）及び（Ｄ）は左側面図及び右側面図である。
【図２】（Ａ）は前面側及び背面側の２枚の表示パネルを取り外した状態の正面図であり、（Ｂ）は電源収納用筺体の前方壁部をさらに除いた状態の正面図を示している。
【図３】図１のＡ−Ａ線断面図である。
【図４】面発光パネル部材の構造を概略的に説明するために用いる図である。
【図５】第１及び第２のフレーム材の構造を説明するために用いる図である。
【図６】第３及び第４のフレーム材の構造を説明するために用いる図である。
【図７】中間フレーム材の取付構造を説明するために用いる図である。
【図８】電源収納用筺体の壁部の構造を説明するために用いる図である。
【図９】（Ａ）及び（Ｂ）は、それぞれ両面発光表示装置の側面構造を説明するために用いる図である。
【図１０】第１及び第２のフレーム材の変形例を示すために用いる図である。
【符号の説明】
【００４８】
１  両面発光表示装置
３  取付具
５  電源収納用筺体
７  表示装置構造部
９，１１  第１及び第２の透光板
１３，１５  第１及び第２の面発光パネル部材
１７  枠状構造体
１９，２１  発光ダイオード
２３，２５  導光板
２７，２９  放熱板
３１，３３  光拡散パターン
３５〜４１  第１乃至第４のフレーム材
４３〜５１  中間フレーム材
【図１】
0005198915.tif 000002
【図２】
0005198915.tif 000003
【図３】
0005198915.tif 000004
【図４】
0005198915.tif 000005
【図５】
0005198915.tif 000006
【図６】
0005198915.tif 000007
【図７】
0005198915.tif 000008
【図８】
0005198915.tif 000009
【図９】
0005198915.tif 000010
【図１０】
0005198915.tif 000011